(57)【要約】【課題】電源電圧が低下した場合であっても簡単な構成で動画ファイルを再生可能な状態で記録することができること。【解決手段】動画を撮影可能な電子撮像装置であって、ＣＣＤ１０と、所定フレームの動画データが撮像されたときに、この所定フレームの動画データに対応する属性情報を作成し、電源電圧が所定の電圧レベル以下になった場合に、作成された属性情報を記録メディア５に記録するＣＰＵ１とを具備する。【選択図】      図１
2005229295.tif 000002
【特許請求の範囲】
【請求項１】
動画を撮影可能な電子撮像装置であって、
撮像手段と、
所定フレームの動画データが撮像されたときに、この所定フレームの動画データに対応する属性情報を作成する属性情報作成手段と、
電源電圧が所定の電圧レベル以下になった場合に、前記作成された属性情報を記録媒体に記録する記録手段と、
を具備することを特徴とする電子撮像装置。
【請求項２】
前記記録手段は、電源電圧が所定の電圧レベル以下になった場合に、前記作成された属性情報を前記動画データとともに記録媒体に記録することを特徴とする請求項１記載の電子撮像方法。
【請求項３】
動画を撮影可能な電子撮像装置であって、
撮像手段と、
所定フレームの動画データが撮像されたときに、この所定フレームの動画データに対応する属性情報を作成する属性情報作成手段と、
撮像された動画データを記録媒体に記録する記録手段と、
電源電圧が所定の電圧レベル以下となった場合に、前記動画データの記録媒体への記録を中止するとともに、前記作成された属性情報を記録媒体に記録するように制御する制御手段と、
を具備することを特徴とする電子撮像装置。
【請求項４】
撮影終了の指示があったときに、当該撮影により得られた動画データに対応する属性情報を前記属性情報作成手段により作成するとともに、前記記録手段によって作成された属性情報を前記撮影により得られた動画データとともに記録することを特徴とする請求項３記載の電子撮像装置。
【請求項５】
電源電圧が所定の電圧レベル以下になった場合に、前記属性情報を記録媒体に記録するために必要な電源電圧を供給するバックアップ用電源を備えていることを特徴とする請求項１〜４のいずれかに記載の電子撮像装置。
【請求項６】
前記電源電圧が所定の電圧レベル以下となった場合に、前記バックアップ用電源による前記記録媒体への記録に必要な電源供給を除く他の電源供給を停止するように制御することを特徴とする請求項５記載の電子撮像装置。
【請求項７】
前記バックアップ用電源は、電子撮像装置において他の用途に用いられる電源と共用されることを特徴とする請求項５に記載の電子撮像装置。
【請求項８】
電源電圧が所定の電圧レベル以下になった場合に記録媒体に記録される属性情報は、その時点ですでに作成されている属性情報のうち最新に作成された属性情報であることを特徴とする請求項１〜７のいずれかに記載の電子撮像装置。
【請求項９】
電源電圧が所定の電圧レベル以下になった場合に、記録媒体にデータを記録するのに用いられる動作クロックを低速モードに切り換えることを特徴とする請求項１〜８のいずれかに記載の電子撮像装置。
【請求項１０】
動画を撮影可能な電子撮像方法であって、
撮像手段により所定フレームの動画データが撮像されたときに、この所定フレームの動画データに対応する属性情報を作成する属性情報作成工程と、
電源電圧が所定の電圧レベル以下になった場合に、前記作成された属性情報を記録媒体に記録する記録工程と、
を具備することを特徴とする電子撮像方法。
【発明の詳細な説明】
【技術分野】
【０００１】
本発明は、電子撮像装置及び電子撮像方法に関するものである。
【背景技術】
【０００２】
デジタルカメラ等の電子撮像装置が従来より知られている。このような電子撮像装置において、撮影時に電池切れが発生したり停電が起こった場合に備えて種々の提案がなされている。例えば、特開２００２−２６２２１７号公報には、電池電圧の低下が検出されると、画像データの記録処理のみを優先して行い、さらには記録動作を中止する等の処理を行うことが開示されている。
【０００３】
また、特開平６−２７４４５７号公報には、ファイルへのデータ書き込み中に停電になると電池の出力電圧を検出して、書き込み中のファイルを強制的にクローズする処理を行うことが開示されている。
【特許文献１】特開２００２−２６２２１７号公報
【特許文献２】特開平６−２７４４５７号公報
【発明の開示】
【発明が解決しようとする課題】
【０００４】
上記した先行技術はいずれも動画撮影時の電源電圧の低下について考慮していない。動画撮影において、フッタは撮影時間やフレームレートなどの必要情報が事前にわかっていれば撮影に先立って作成することができるが、撮影中にデータが消失した場合にはデータとの対応がとれなくなるので正常な再生が困難になる。また、フッタを動画撮影の後に作成する方法もあるが、撮影の途中で電池切れが生じた場合はフッタが作成されないので再生可能なように記録を行うことができない。
【０００５】
本発明はこのような課題に着目してなされたものであり、その目的とするところは、電源電圧が低下した場合であっても簡単な構成で動画ファイルを再生可能な状態で記録することができる電子撮像装置及び電子撮像方法を提供することにある。
【課題を解決するための手段】
【０００６】
上記の目的を達成するために、第１の発明は、動画を撮影可能な電子撮像装置であって、撮像手段と、所定フレームの動画データが撮像されたときに、この所定フレームの動画データに対応する属性情報を作成する属性情報作成手段と、電源電圧が所定の電圧レベル以下になった場合に、前記作成された属性情報を記録媒体に記録する記録手段と、を具備する。
【０００７】
また、第２の発明は、第１の発明に係る電子撮像装置において、前記記録手段は、電源電圧が所定の電圧レベル以下になった場合に、前記作成された属性情報を前記動画データとともに記録媒体に記録する。
【０００８】
また、第３の発明は、動画を撮影可能な電子撮像装置であって、撮像手段と、所定フレームの動画データが撮像されたときに、この所定フレームの動画データに対応する属性情報を作成する属性情報作成手段と、撮像された動画データを記録媒体に記録する記録手段と、電源電圧が所定の電圧レベル以下となった場合に、前記動画データの記録媒体への記録を中止するとともに、前記作成された属性情報を記録媒体に記録するように制御する制御手段と、を具備する。
【０００９】
また、第４の発明は、第３の発明に係る電子撮像装置において、撮影終了の指示があったときに、当該撮影により得られた動画データに対応する属性情報を前記属性情報作成手段により作成するとともに、前記記録手段によって作成された属性情報を前記撮影により得られた動画データとともに記録する。
【００１０】
また、第５の発明は、第１〜第４のいずれかに記載の電子撮像装置において、電源電圧が所定の電圧レベル以下になった場合に、前記属性情報を記録媒体に記録するために必要な電源電圧を供給するバックアップ用電源を備えている。
【００１１】
また、第６の発明は、第５の発明に係る電子撮像装置において、前記電源電圧が所定の電圧レベル以下となった場合に、前記バックアップ用電源による前記記録媒体への記録に必要な電源供給を除く他の電源供給を停止するように制御する。
【００１２】
また、第７の発明は、第５の発明に係る電子撮像装置において、前記バックアップ用電源は、電子撮像装置において他の用途に用いられる電源と共用される。
【００１３】
また、第８の発明は、第１〜第７のいずれかの発明に係る電子撮像装置において、電源電圧が所定の電圧レベル以下になった場合に記録媒体に記録される属性情報は、その時点ですでに作成されている属性情報のうち最新に作成された属性情報である。
【００１４】
また、第９の発明は、第１〜第８のいずれかの発明に係る電子撮像装置において、電源電圧が所定の電圧レベル以下になった場合に、記録媒体にデータを記録するのに用いられる動作クロックを低速モードに切り換える。
【００１５】
また、第１０の発明は、動画を撮影可能な電子撮像方法であって、撮像手段により所定フレームの動画データが撮像されたときに、この所定フレームの動画データに対応する属性情報を作成する属性情報作成工程と、電源電圧が所定の電圧レベル以下になった場合に、前記作成された属性情報を記録媒体に記録する記録工程と、を具備する。
【発明の効果】
【００１６】
本発明によれば、電源電圧が低下した場合や電池が抜かれた場合であっても簡単な構成で動画ファイルを再生可能な状態で記録することができる。
【発明を実施するための最良の形態】
【００１７】
以下、図面を参照して本発明の実施形態を詳細に説明する。図１は、本発明に係る電子撮像装置の概略構成を示す機能ブロック図である。図１において、全体の制御を行うＣＰＵ１には、画像処理部（ＡＳＩＣ）１１と、メモリカード等の記録メディア５と、ＳＤＲＡＭ６と、電池電圧チェック部２が接続され、さらにビデオインタフェース７を介して液晶表示部（ＴＦＴ）８が、ＣＣＤインタフェース９を介して撮像素子としてのＣＣＤ１０が、電源制御部３を介して電源電圧としての電池４さらにはバックアップコンデンサ１２が接続されている。電源制御部３からは各制御部に電源が供給される。電池電圧チェック部２は電池４の電圧のチェックを行う。ここでのＣＰＵ１は、所定フレームの動画データが撮像されたときに、この所定フレームの動画データに対応する属性情報（例えばフッタ情報）を作成する属性情報作成手段と、電池４が所定の電圧レベル以下になった場合に、動画データの記録動作を中止するとともに、すでに作成された属性情報を記録メディア５に記録するように制御する制御手段としての機能を備える。
【００１８】
以下に電子撮像装置の一般的な動作を説明する。ＣＣＤ１０により被写体を撮像することにより得られた画像データは画像処理部１１で所定の画像処理が施された後、いったんＳＤＲＡＭ６に書き込まれる。所定フレーム分の動画データがＳＤＲＡＭ６に格納された時点で、当該画像データは動画ファイルとして記録メディア５に書き込まれる。このとき、ＣＰＵ１により動画に関する付加情報（ヘッダ、フッタ等の属性情報）が作成されて動画ファイルとともに記録される。
【００１９】
図２は、一般的な動画撮影の手順を説明するためのフローチャートである。まずＣＣＤ１０により１フレームの動画データを取り込む（ステップＳ１）。次に取り込んだ動画データに対して画像処理部１１で所定の画像処理（ステップＳ２）を行った後、ＳＤＲＡＭ６に書き込む（ステップＳ３）。ここでユーザによる操作終了の指示があったかどうかを判断し（ステップＳ４）、ＹＥＳの場合にはＳＤＲＡＭ６に格納されている動画データを記録メディア５に書き込む（ステップＳ５）。同時に当該動画データに対するフッタを作成して書き込む処理を行い（ステップＳ６、Ｓ７）、処理を終了する。
【００２０】
図３は、上記したフッタの内部構造の一例を示しており、ムービー時間、トラック情報、データオフセット、フレームレート、ユーザ領域から構成されている。
【００２１】
一方、ステップＳ４でＮＯの場合には、所定数のフレームの書き込みが終了したかどうかを判断し（ステップＳ８）、ＮＯの場合にはステップＳ１に戻る。また、ステップＳ８の判断がＹＥＳになったときにＳＤＲＡＭ６に格納されている動画データを記録メディア５に書き込み（ステップＳ９）、ステップＳ１に戻る。ここで、所定フレーム数の画像の集まりをチャンクと呼ぶことにする。
【００２２】
図４は、本発明の実施形態に係る動画撮影の手順を説明するためのフローチャートである。ここでの処理はすでに説明した図２の撮影手順とほぼ同じであるが、ステップＳ１０でそれまでに記録メディア５に書き込んだ１チャンク分の動画データに対するフッタを作成する工程が追加になっている点が異なる。
【００２３】
図５は、図４の処理を実行している間に割り込みがかかったときの処理手順を示すフローチャートである。ここでの割り込みは、電池電圧チェック部２により電池４の残量が残り少ないと判断された場合に実行される。この場合、各制御部への電力の供給はバックアップコンデンサ１２に切り替えて行われることになる。このバックアップコンデンサ１２は、属性情報としてのフッタを記録メディア５に記録するのに必要な電源電圧を備えているものとする。
【００２４】
まず液晶表示部（ＴＦＴ）８、ＣＣＤ１０、画像処理部１１をＯＦＦ状態にセットする（ステップＳ２０、Ｓ２１，Ｓ２２）。次に、動画データの記録メディア５への書き込みを中止するとともに（ステップＳ２３）、予め作成してＳＤＲＡＭ６に格納してあったフッタを記録メディア５へ書き込み（ステップＳ２４）、処理を終了する。
【００２５】
図６は動画データの構成を示しており、ヘッダ部２０とデータ部２１とフッタ部２２とからなる。データ部２１は概して複数のチャンク（ここではチャンク１〜４）からなる。さらに各チャンクは複数のフレーム（第１フレーム〜第ｎフレーム）からなる。ここで例えばチャンク３の途中で電池切れが発生した場合にはシステムはチャンク１とチャンク２のフッタ情報のみを有しているのでこの場合は最新の属性情報としてフッタ１，２の書き込みを行う。
【００２６】
図７は、動画の撮影手順を説明するためのタイムチャートである。ＶＤ（垂直同期信号）に同期してＣＣＤ１０から動画データがフレームごとに順次取り込まれる。取り込んだ動画フレームに対する画像処理が１ＶＤだけ遅れて行われる。さらに１ＶＨ遅れて処理された動画データがＳＤＲＡＭ６に書き込まれる。ここでは３０フレーム分の動画データが書き込まれた時点で、すべての動画データが記録メディア５に書き込まれる。記録メディア５への書き込み処理はＤＭＡ（Direct Memory Access）に基づいて行われるのでＶＤのタイミングとは無関係に行われる。記録メディア５への書き込み処理が終了した後は、動画データに対応するフッタが作成される。上記した処理は撮影している間連続して行なわれる。
【００２７】
図８は、電池切れが発生したときの処理手順を説明するためのタイムチャートである。電池チェックにより電池４の残量が残り少ないと判断された場合には割り込み処理に移行する。まずＣＰＵ１の動作クロック（ＣＬＫ）に同期してＣＣＤ１０、ＴＦＴ８、画像処理部１１へのパワーがＯＦＦ状態にセットされる。また、記録メディア５への書き込み処理は３０フレームに到達する以前に中止される。ＣＰＵ１の動作クロック（ＣＬＫ）の周波数はこの時点で５４ＭＨｚから２７ＭＨｚの低速モードに切り換えられる。ＣＰＵ１の動作クロックに同期したフッタがＤＭＡ転送され、これが終了した後、カメラのパワーがＯＦＦされる。
【００２８】
図９は、電池４の残量（電圧Ｖ）が時間ｔの経過に従って減少する様子を示す図である。電池電圧チェック部２が電池４の電圧が残量警告電圧１００を越えて動作限界１０１にまで減少したことを検知すると、ＣＰＵ１は、バックアップコンデンサ１２による記録メディア５への記録に必要な電源供給を除く他の電源供給を停止する。すなわち、ＣＰＵ１は、画像処理部１１、ＴＦＴ８、ＣＣＤ１０へのパワーをＯＦＦして、バックアップコンデンサ１２に切り替えて各制御部への電源供給を行う。
【００２９】
図１０は、バックアップコンデンサ１２による自動的な電源供給を実現するための一構成例を示す図である。２００は電池電圧、２０１はＤＣ／ＤＣ回路、２０２〜２０５はダイオード、２０６はバックアップコンデンサである。このような構成によれば、ＣＰＵ、ＳＲＡＭ、カードＩＦ等が接続されるＡ点には、電池２００からの電源電圧と、バックアップコンデンサ２０６の電圧とが合成された電圧が供給されることになるので、たとえ電池２００からの電源電圧が低下した場合であってもＡ点の電圧は動作限界よりも低下することはなくフッタの書き込みを行うのに十分な電圧を維持することができる。したがって、電池切れが発生したときに、それまでに撮影した動画ファイルが失われることはない。
【００３０】
なお、バックアップコンデンサ２０６としてカメラのストロボ用のコンデンサを共用するようにしてもよい。
【図面の簡単な説明】
【００３１】
【図１】本発明に係る電子撮像装置の概略構成を示す機能ブロック図である。
【図２】一般的な動画撮影の手順を説明するためのフローチャートである。
【図３】フッタの内容の一例を示す図である。
【図４】本発明の実施形態に係る動画撮影の手順を説明するためのフローチャートである。
【図５】図４の処理を実行している間に割り込みがかかったときの処理手順を示すフローチャートである。
【図６】動画データの構成を示す図である。
【図７】動画の撮影手順を説明するためのタイムチャートである。
【図８】電池切れが発生したときの処理手順を説明するためのタイムチャートである。
【図９】電池４の残量（電圧Ｖ）が時間ｔの経過に従って減少する様子を示す図である。
【図１０】バックアップコンデンサ１２による自動的な電源供給を実現するための一構成例を示す図である。
【符号の説明】
【００３２】
１…ＣＰＵ、２…電池電圧チェック部、３…電源制御部、４…電池、５…記録メディア、６…ＳＤＲＡＭ、７…ビデオＩ／Ｆ、８…ＴＦＴ、９…ＣＣＤ  Ｉ／Ｆ、１０…ＣＣＤ、１１…画像処理部、１２…バックアップコンデンサ。
【図１】
2005229295.tif 000003
【図２】
2005229295.tif 000004
【図３】
2005229295.tif 000005
【図４】
2005229295.tif 000006
【図５】
2005229295.tif 000007
【図６】
2005229295.tif 000008
【図７】
2005229295.tif 000009
【図８】
2005229295.tif 000010
【図９】
2005229295.tif 000011
【図１０】
2005229295.tif 000012